(57)【特許請求の範囲】
【請求項１】
マルチキャストネットワークにおいて、無線通信ネットワークにわたって送信されるメッセージコンテンツと関連づけられた少なくとも１つの現在の関心トピックを表わす１つまたは複数の電子信号を取得することと、ここにおいて、前記少なくとも１つの現在の関心トピックは、前記無線通信ネットワークにおいて、前記無線通信ネットワークにわたって少なくとも１つのモバイル局から送信された前記メッセージコンテンツに少なくとも部分的に基づいて決定されている、
前記マルチキャストネットワークにおいて、前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成に影響を与えることと、
を備え、
前記作成に影響を与えることは、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
方法。
【請求項２】
前記少なくとも１つの現在の関心トピックは、最新のしきい値期間の間に前記無線通信ネットワークにわたって送信されるメッセージコンテンツに少なくとも部分的に基づいている、請求項１に記載の方法。
【請求項３】
前記無線通信ネットワークから前記少なくとも１つの現在の関心トピックを表わす前記１つまたは複数の電子信号を取得すること、をさらに備える請求項１に記載の方法。
【請求項４】
前記無線通信ネットワークにわたって送信される前記メッセージコンテンツを取得することと、
前記メッセージコンテンツに少なくとも部分的に基づいて前記少なくとも１つの現在の関心トピックを決定することと、
をさらに備える請求項１に記載の方法。
【請求項５】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項１に記載の方法。
【請求項６】
前記メッセージコンテンツは、ＳＭＳメッセージコンテンツを備える、請求項１に記載の方法。
【請求項７】
前記マルチキャストネットワークは、無線マルチキャストネットワークを備える、請求項１に記載の方法。
【請求項８】
無線通信ネットワークにおいて、該無線通信ネットワークにわたって少なくとも１つのモバイル局から送信されるメッセージコンテンツを表わす１つまたは複数の電子信号を取得することと、
前記無線通信ネットワークにおいて、前記メッセージコンテンツに少なくとも部分的に基づいて少なくとも１つの現在の関心トピックを決定することと、
前記無線通信ネットワークにおいて、前記少なくとも１つの現在の関心トピックを表わす１つまたは複数の電子信号をマルチキャストネットワークに送信することと、ここにおいて、前記マルチキャストネットワークにおいて、送信された前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成は影響を与えられる、
を備え、
前記影響を与えられた作成は、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
方法。
【請求項９】
前記少なくとも１つの現在の関心トピックは、最新のしきい値期間の間に前記無線通信ネットワークにわたって送信されるメッセージコンテンツに少なくとも部分的に基づいている、請求項８に記載の方法。
【請求項１０】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項８に記載の方法。
【請求項１１】
前記メッセージコンテンツは、ＳＭＳメッセージコンテンツを備える、請求項８に記載の方法。
【請求項１２】
前記マルチキャストネットワークは、無線マルチキャストネットワークを備える、請求項８に記載の方法。
【請求項１３】
マルチキャストネットワークにおいてコンテンツを送信するための手段と、
前記マルチキャストネットワークにおいて、無線通信ネットワークにわたって送信されるメッセージコンテンツと関連づけられた少なくとも１つの現在の関心トピックを取得するための手段と、ここにおいて、前記少なくとも１つの現在の関心トピックは、前記無線通信ネットワークにおいて、前記無線通信ネットワークにわたって少なくとも１つのモバイル局から送信された前記メッセージコンテンツに少なくとも部分的に基づいて決定されている、
前記マルチキャストネットワークにおいて、前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成に影響を与えるための手段と、
を備え、
前記作成に影響を与えることは、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
装置。
【請求項１４】
前記少なくとも１つの現在の関心トピックは、最新のしきい値期間の間に前記無線通信ネットワークにわたって送信されるメッセージコンテンツに少なくとも部分的に基づいている、請求項１３に記載の装置。
【請求項１５】
前記無線通信ネットワークから前記少なくとも１つの現在の関心トピックを受信するための手段、
をさらに備える請求項１３に記載の装置。
【請求項１６】
前記無線通信ネットワークにわたって送信される前記メッセージコンテンツを取得するための手段と、
前記メッセージコンテンツに少なくとも部分的に基づいて前記少なくとも１つの現在の関心トピックを決定するための手段と、
をさらに備える請求項１３に記載の装置。
【請求項１７】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項１３に記載の装置。
【請求項１８】
前記メッセージコンテンツは、ＳＭＳメッセージコンテンツを備える、請求項１３に記載の装置。
【請求項１９】
前記マルチキャストネットワークは、無線マルチキャストネットワークを備える、請求項１３に記載の装置。
【請求項２０】
無線通信ネットワークにおいて、該無線通信ネットワークにわたって少なくとも１つのモバイル局から送信されるメッセージコンテンツを取得するための手段と、
前記無線通信ネットワークにおいて、前記メッセージコンテンツに少なくとも部分的に基づいて少なくとも１つの現在の関心トピックを決定するための手段と、
前記無線通信ネットワークにおいて、前記少なくとも１つの現在の関心トピックをマルチキャストネットワークに送信するための手段と、ここにおいて、前記マルチキャストネットワークにおいて、送信された前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成は影響を与えられる、
を備え、
前記影響を与えられた作成は、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
装置。
【請求項２１】
前記少なくとも１つの現在の関心トピックは、最新のしきい値期間の間に前記無線通信ネットワークにわたって送信されるメッセージコンテンツに少なくとも部分的に基づいている、請求項２０に記載の装置。
【請求項２２】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項２０に記載の装置。
【請求項２３】
前記メッセージコンテンツは、ＳＭＳメッセージコンテンツを備える、請求項２０に記載の装置。
【請求項２４】
前記マルチキャストネットワークは、無線マルチキャストネットワークを備える、請求項２０に記載の装置。
【請求項２５】
装置であって、
メモリと、
複数のマルチキャストネットワーク加入者ユニットへコンテンツを送信するための少なくとも１つの送信機と、
無線通信ネットワークにわたって送信されるメッセージコンテンツと関連づけられた少なくとも１つの現在の関心トピックを前記無線通信ネットワークより取得し、前記少なくとも１つの現在の関心トピックは、前記無線通信ネットワークにわたって少なくとも１つのモバイル局から送信された前記メッセージコンテンツに少なくとも部分的に基づいて前記無線通信ネットワークにおいて決定されており、
マルチキャストネットワークにおいて、前記少なくとも１つの現在の関心トピックに少なくとも部分的に基づいて前記マルチキャストネットワークにわたる前記複数のマルチキャストネットワーク加入者ユニットへの送信のための前記コンテンツの少なくとも一部分の作成に影響を与えるための、
前記メモリと前記少なくとも１つの送信機とに結合された少なくとも１つの処理ユニットと、
を備え、
前記作成に影響を与えることは、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
装置。
【請求項２６】
前記少なくとも１つの現在の関心トピックは、最新のしきい値期間の間に前記無線通信ネットワークにわたって送信されるメッセージコンテンツに少なくとも部分的に基づいている、請求項２５に記載の装置。
【請求項２７】
前記無線通信ネットワークから前記少なくとも１つの現在の関心トピックを受信するための、前記メモリおよび／または前記少なくとも１つの処理ユニットのうちの少なくとも１つに結合された少なくとも１つのネットワークインタフェース、をさらに備える請求項２５に記載の装置。
【請求項２８】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項２５に記載の装置。
【請求項２９】
前記メッセージコンテンツは、ＳＭＳメッセージコンテンツを備える、請求項２５に記載の装置。
【請求項３０】
前記少なくとも１つの送信機は、無線送信機を備える、請求項２５に記載の装置。
【請求項３１】
装置であって、
無線通信ネットワークにわたって少なくとも１つのモバイル局から送信されるメッセージコンテンツを格納するためのメモリと；
ネットワークインタフェースと；
前記無線通信ネットワークにおいて、前記メッセージコンテンツに少なくとも部分的に基づいて少なくとも１つの現在の関心トピックを決定し、
前記ネットワークインタフェースを介してマルチキャストネットワークへの前記少なくとも１つの現在の関心トピックの送信を開始するための、ここにおいて、前記マルチキャストネットワークにおいて、送信された前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成は影響を与えられる、
前記メモリと前記ネットワークインタフェースに結合された少なくとも１つの処理ユニットと；
を備え、
前記影響を与えられた作成は、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
装置。
【請求項３２】
前記少なくとも１つの現在の関心トピックは、最新のしきい値期間の間に前記無線通信ネットワークにわたって送信されるメッセージコンテンツに少なくとも部分的に基づいている、請求項３１に記載の装置。
【請求項３３】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項３１に記載の装置。
【請求項３４】
前記メッセージコンテンツは、ＳＭＳメッセージコンテンツを備える、請求項３１に記載の装置。
【請求項３５】
前記マルチキャストネットワークは、無線マルチキャストネットワークを備える、請求項３１に記載の装置。
【請求項３６】
コンピュータ可読記憶媒体であって、
マルチキャストネットワークにおいて、無線通信ネットワークにわたって送信されるメッセージコンテンツと関連づけられた少なくとも１つの現在の関心トピックを表わす１つまたは複数の電子信号を取得することと、ここにおいて、前記少なくとも１つの現在の関心トピックは、前記無線通信ネットワークにおいて、前記無線通信ネットワークにわたって少なくとも１つのモバイル局から送信された前記メッセージコンテンツに少なくとも部分的に基づいて決定されている、
前記マルチキャストネットワークにおいて、前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成に影響を与えることと、
が電子デバイスにおいて１つまたは複数の処理ユニットによって実行可能であるコンピュータ実装可能命令を格納しており、
前記作成に影響を与えることは、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
コンピュータ可読記憶媒体。
【請求項３７】
前記少なくとも１つの現在の関心トピックは、最新のしきい値期間の間に前記無線通信ネットワークにわたって送信されるメッセージコンテンツに少なくとも部分的に基づいている、請求項３６に記載のコンピュータ可読記憶媒体。
【請求項３８】
前記コンピュータ実装可能命令は、
前記無線通信ネットワークから前記少なくとも１つの現在の関心トピックを取得すること
が前記１つまたは複数の処理ユニットによってさらに実行可能である、請求項３６に記載のコンピュータ可読記憶媒体。
【請求項３９】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項３６に記載のコンピュータ可読記憶媒体。
【請求項４０】
前記メッセージコンテンツは、ＳＭＳメッセージコンテンツを備える、請求項３６に記載のコンピュータ可読記憶媒体。
【請求項４１】
前記マルチキャストネットワークは、無線マルチキャストネットワークを備える、請求項３６に記載のコンピュータ可読記憶媒体。
【請求項４２】
コンピュータ可読記憶媒体であって、
無線通信ネットワークにおいて、該無線通信ネットワークにわたって少なくとも１つのモバイル局から送信されるメッセージコンテンツを取得することと、
前記無線通信ネットワークにおいて、前記メッセージコンテンツに少なくとも部分的に基づいて少なくとも１つの現在の関心トピックを決定することと、
前記無線通信ネットワークにおいて、前記少なくとも１つの現在の関心トピックのマルチキャストネットワークへの送信を開始することと、ここにおいて、前記マルチキャストネットワークにおいて、送信された前記少なくとも１つの現在の関心トピックに少なくとも部分的に基づいて前記マルチキャストネットワークにわたる１つまたは複数のマルチキャストネットワーク加入者ユニットへの送信のためのコンテンツの少なくとも一部分の作成は影響を与えられる、
が電子デバイスにおいて１つまたは複数の処理ユニットによって実行可能であるコンピュータ実装可能命令を格納しており、
前記影響を与えられた作成は、
前記少なくとも１つの現在の関心トピックに応じて前記マルチキャストネットワークにわたる第１のコンテンツの送信を停止することと、
前記マルチキャストネットワークにわたる第２のコンテンツの送信を開始することと、ここで、前記第２のコンテンツは前記少なくとも１つの現在の関心トピックに関連付けられている、
を備える、
コンピュータ可読記憶媒体。
【請求項４３】
前記少なくとも１つの現在の関心トピックは、最新のしきい値期間の間に前記無線通信ネットワークにわたって送信されるメッセージコンテンツに少なくとも部分的に基づいている、請求項４２に記載のコンピュータ可読記憶媒体。
【請求項４４】
前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、請求項４２に記載のコンピュータ可読記憶媒体。
【請求項４５】
前記メッセージコンテンツは、ＳＭＳメッセージコンテンツを備える、請求項４２に記載のコンピュータ可読記憶媒体。
【請求項４６】
前記マルチキャストネットワークは、無線マルチキャストネットワークを備える、請求項４２に記載のコンピュータ可読記憶媒体。
【発明の詳細な説明】
【背景技術】
【０００１】
１．技術分野
[0001]  ここに開示された主題は電子デバイスに関し、より具体的には、マルチキャストネットワークおよび／または無線通信ネットワークの１つまたは複数の電子デバイスにおける、および／または、当該１つまたは複数の電子デバイスを用いた使用のための方法および装置に関する。
【０００２】
２．情報
[0002]  無線通信システムは、急速に、デジタル情報活動分野でもっとも普及した技術の一つとなりつつある。衛星およびセルラ電話サービスおよび他の同様な無線通信ネットワークはすでに全世界に及んでいる。さらに、さまざまなタイプおよびサイズの新たな無線システム(例えば、ネットワーク)は大量のデバイス(固定およびポータブルの両方)の間の接続を提供するために日々増大されている。これらの無線システムの多くは、他の通信システムおよびリソースを通じて一緒に結合されて、情報のさらなる通信および共有を促進している。
【０００３】
[0003]  モバイル局は、１つまたは複数の無線通信ネットワークにわたって情報を送信および／または受信しうるさまざまなタイプのポータブル電子デバイスを表わす。１つの一般的なモバイル局は、セルラ電話または他の同様なスマートフォンである。ここでは、例えば、このようなモバイル局によって、ユーザは音声または電子メッセージを介して通信しうる。送信されるメッセージコンテンツは例えば、テキスト、イメージ、ビデオなどを含めうる。このような通信技法は、ユーザが情報を比較的速く交換することを可能にする傾向がある。例えば、あるユーザはＳＭＳメッセージ、キャプチャされたイメージ（captured images）、ビデオ等を通じて、ありのままにニュースまたは他の関連のコンテンツ情報を共有することが知られている。
【０００４】
[0004]  いくつかの通信ネットワークは、複数の加入者ユニットへコンテンツをブロードキャストできるようにされうる（may be enabled to broadcast）。例えば、マルチキャストネットワークは、有線／ファイバ、および／または、無線の通信リンクにわたってさまざまなタイプのコンテンツを送信しうる。例えば、このようなマルチキャストコンテンツは、選択され再生され、または、そうでない場合には加入者ユニットを用いて提示される、さまざまな形のエンタテイメント、ニュースおよび／または広告のコンテンツを含めうる。ここでは、例えば、加入者ユニットは、（例えば、インターネットを介して）マルチキャストネットワークに結合されうるパーソナルコンピュータのようなコンピューティングデバイスを含めうる。他の例では、加入者ユニットは、（例えば、１つまたは複数の無線マルチキャストチャネルを介して）無線マルチキャストネットワークに結合されうるスマートフォンのようなモバイル局を含めうる。
【発明の概要】
【０００５】
[0005]  ある態様によれば、無線通信ネットワークにわたって送信されるメッセージコンテンツと関連づけられた少なくとも１つの現在の関心トピック（current interest topic）を識別し、現在の関心トピックに少なくとも部分的に基づいてマルチキャストネットワークにわたる送信のためのコンテンツの少なくとも一部分のプログラミングに影響を与える（affect programming）ためのさまざまな方法および装置を通じて実装されうる技法がここでは提供されている。
【０００６】
[0006]  例として、無線通信ネットワークにわたって送信されるメッセージコンテンツと関連づけられた少なくとも１つの現在の関心トピックを表わす１つまたは複数の電子信号を取得することと、少なくとも１つの現在の関心トピックに少なくとも部分的に基づいてマルチキャストネットワークにわたる送信のためのコンテンツの少なくとも一部分のプログラミングに影響を与えることと、を含む方法が実装されうる。
【０００７】
[0007]  ある例示的な実装では、少なくとも１つの現在の関心トピックは、最新のしきい値期間の間に無線通信ネットワークにわたって送信されるメッセージコンテンツに少なくとも部分的に基づいている。
【０００８】
[0008]  ある例示的な実装では、方法はまた、無線通信ネットワークから少なくとも１つの現在の関心トピックを表わす１つまたは複数の電子信号を取得すること、および／または、無線通信ネットワークにわたって送信されたメッセージコンテンツを取得すること、および、メッセージコンテンツに少なくとも部分的に基づいて少なくとも１つの現在の関心トピックを決定すること、を含めうる。ある例示的な実装では、メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備えうる。ある例示的な実装では、メッセージコンテンツはＳＭＳメッセージコンテンツを備えうる。ある例示的な実装では、マルチキャストネットワークは、無線マルチキャストネットワークを備えうる。
【０００９】
[0009]  ある他の例示的な実装では、無線通信ネットワークにわたって送信されるメッセージコンテンツを表わす１つまたは複数の電子信号を取得することと、メッセージコンテンツに少なくとも部分的に基づいて少なくとも１つの現在の関心トピックを決定することと、マルチキャストネットワークに少なくとも１つの現在の関心トピックを表わす１つまたは複数の電子信号を送信することと、を含む方法が実装されうる。
【００１０】
[0010]  ある他の例示的な実装では、複数のマルチキャストネットワーク加入者ユニットへコンテンツを送信するための少なくとも１つの送信機と、無線通信ネットワークにわたって送信されたメッセージコンテンツと関連づけられた少なくとも１つの現在の関心トピックを取得し、少なくとも１つの現在の関心トピックに少なくとも部分的に基づいて複数のマルチキャストネットワーク加入者への送信のためのコンテンツの少なくとも一部分のプログラミングに影響を与えるための、メモリと少なくとも１つの送信機とに結合された少なくとも１つの処理ユニットと、を含む装置が実装されうる。
【００１１】
[0011]  さらに他の例示的な実装では、無線通信ネットワークにわたって送信されたメッセージコンテンツを格納するためのメモリと、ネットワークインタフェースと、メッセージコンテンツに少なくとも部分的に基づいて少なくとも１つの現在の関心トピックを決定し、ネットワークインタフェースを介してマルチキャストネットワークへの少なくとも１つの現在の関心トピックの送信を開始するための、メモリとネットワークインタフェースに結合された少なくとも１つの処理ユニットと、を含む装置が実装されうる。
【００１２】
[0012]  ある他の例示的な実装では、電子デバイスにおいて１つまたは複数の処理ユニットによって実行されることに応じて、電子デバイスが、無線通信ネットワークにわたって送信されるメッセージコンテンツと関連づけられた少なくとも１つの現在の関心トピックを表わす１つまたは複数の電子信号を取得し、少なくとも１つの現在の関心トピックに少なくとも部分的に基づいてマルチキャストネットワークにわたる送信のためのコンテンツの少なくとも一部分のプログラミングに影響を与えることができるようにするコンピュータ実装可能命令を格納しているコンピュータ可読媒体を含む製品(article of manufacture)が実装されうる。
【００１３】
[0013]  さらに他の例示的な実装では、電子デバイスにおいて１つまたは複数の処理ユニットによって実行されることに応じて、電子デバイスが、通信ネットワークにわたって送信されたメッセージコンテンツを取得し、メッセージコンテンツに少なくとも部分的に基づいて少なくとも１つの現在の関心トピックを決定し、そして、マルチキャストネットワークへの少なくとも１つの現在の関心トピックの送信を開始できるようにするコンピュータ実装可能命令を格納しているコンピュータ可読媒体を含む製品が実装されうる。
【００１４】
[0014]  非限定で非包括的な態様が下記の図を参照して説明されており、ここにおいて、同様な参照数字は、明示されていないかぎり、様々な図全体の同様な部分を指す。
【図面の簡単な説明】
【００１５】
【図１】図１は、実装による、マルチキャストネットワークおよび無線通信ネットワークを含む例示的な環境を図示する概略ブロック図である。
【図２】図２は、実装による、無線通信システムにわたって送信されるメッセージコンテンツに少なくとも部分的に基づいて少なくとも１つの現在の関心トピックを決定しうるコンピューティングデバイスの形で電子デバイスのある特徴を図示する概略ブロック図である。
【図３】図３は、実装による、無線通信システムにわたって送信されるメッセージコンテンツに少なくとも部分的に基づいて少なくとも１つの現在の関心トピックを決定するために、１つまたは複数の電子デバイスにおいて実装されうる例示的なプロセスを図示するフロー図である。
【図４】図４は、実装による、少なくとも１つの現在の関心トピックに部分的に基づいてマルチキャストネットワークにわたる送信のためのコンテンツの少なくとも一部分のプログラミングに影響を与えるコンピューティングデバイスの形で電子デバイスのある特徴を図示する概略ブロック図である。
【図５】図５は、実装による、少なくとも１つの現在の関心トピックに少なくとも部分的に基づいてマルチキャストネットワークにわたる送信のためのコンテンツの少なくとも一部分のプログラミングに影響を与えるために、１つまたは複数の電子デバイスにおいて実装されうる例示的なプロセスを図示するフロー図である。
【発明を実施するための形態】
【００１６】
[0020]  コンテンツのブロードキャスタは一般的に、視聴者の関心（audience interests）、視聴者層等の変化に応じて利用可能なブロードキャストコンテンツの選択を変えるまたは変更することを望む。ブロードキャストコンテンツのプログラミングを変更するまたは変える従来の方法は、例えばニールセンレーティング（the Nielsen ratings）を含む調査、フォーカスグループ（focus groups）、オーディエンスレーティングシステム（audience rating systems）のようなオフライン情報を用いることに依存している。これらの技法は一般的に、視聴率（viewership）に関するデータを集めること、視聴者の好みを推断するための集められたデータの分析、変わっていく関心に基づいてプログラミングへの変更を行なうこと、を含む。
【００１７】
[0021]  ブロードキャストコンテンツを変えるまたは変更するこのような従来の方法が数週間または数カ月間にわたるトレンドまたは変化をトラッキングするのに効果的であったが、このような技法は、現在のイベントおよび／または他のすぐに変わる／深まる関心に応答するのに効果的ではない。
【００１８】
[0022]  ある態様によれば、コンテンツのブロードキャスタが現在のイベントおよび／または視聴者の他のすぐに変わる／新たに深まる関心に、より効果的に応答することを可能にするために１つまたは複数の電子デバイスで実装されうる技法がここにおいて説明される。このことを行なうために、１つまたは複数の「現在の関心トピック」が無線通信ネットワークにわたって送信される電子メッセージコンテンツに基づいて決定されることを可能にする技法が提供される。このメッセージコンテンツは、集められデータマイニングされうる、またはそうでない場合には、１つまたは複数のコンピューティングデバイスによって迅速に処理され分析され、１つまたは複数の現在のイベント、および／または、無線通信ネットワークにわたってこのような情報を共有する少なくともユーザにとってのある関心事であろう他の主題、を識別する。１つまたは複数の現在の関心トピックを迅速に識別して、本技法は、ブロードキャストされるコンテンツの少なくとも一部分のプログラミングに影響を与えるために実装されうる。ある例では、マルチキャストネットワークにわたる送信のためのコンテンツは、１つまたは複数の識別された現在の関心トピックに少なくとも部分的に基づいてある程度（in some manner）迅速に影響を与えられうる。
【００１９】
[0023]  したがって、マルチキャストネットワークの視聴者(例えば、加入者)の少なくとも一部が無線通信ネットワークのユーザの何人かと同じ関心を有する場合には、このような技法は、加入者の多くの変わるまたは深まる関心に対し迅速なプログラミング応答を提供しうる。実際に、ある例示的な実装では、無線通信ネットワークのユーザはまた、マルチキャストネットワークの加入者でありうる。さらに、ある非限定の例では、単一の電子デバイス(例えば、スマートフォン)は、無線通信システムとマルチキャストネットワークの両方とインタフェース接続しうる。
【００２０】
[0024]  非限定の例として、ある実装は、加入者にコンテンツを送信するためにマルチキャストネットワークを使用すること、および、あるリアルタイム状態またはイベントの検出に少なくとも部分的に基づいて送信のためのコンテンツの少なくとも一部分のプログラミングに影響を与えること、を対象とする。具体的な実装では、このようなマルチキャストネットワークは、ＭｅｄｉａＦＬＯ技術および／または同様なものを利用する無線通信ネットワークのようなセルラ無線マルチキャストネットワークを備えうる。他の例示的な実装では、マルチキャストネットワークは、無線通信ネットワークとは別に動作するが、無線通信ネットワークに結合されうる。
【００２１】
[0025]  他の実装では、マルチキャストネットワークは、コンテンツが加入者にブロードキャストされる有線通信ネットワーク（例えば、インターネット）を備えうる。ここでは、例えば、加入者ユニットは、パーソナルコンピューティングデバイス、セットトップボックス・コンピューティングデバイス、および／または同様なものを備えうる。
【００２２】
[0026]  一実装による、無線通信ネットワーク１０４に結合された複数のモバイル局１０２とマルチキャストネットワーク１０６に結合された複数のマルチキャスト加入者ユニット１０３とを含む例示的な環境１００を図示する概略ブロック図である図１を参照する。
【００２３】
[0027]  この例で示されるように、無線通信ネットワーク１０４はまた、例えばネットワーク１１８を通じてまたは直接的に（例えば、有線および／または無線リンクを介して）マルチキャストネットワーク１０６に結合されうる。ネットワーク１１８は、例えば、インターネットおよび／または他の同様な通信機能／サービスを含めうる。
【００２４】
[0028]  モバイル局１０２は、環境１００内の１つまたは複数の電子信号によって表わされる情報を送信および／または受信し得るいずれかの電子デバイスの典型である。限定ではなく例として、モバイルデバイス１０２は、セルラ電話または他の同様なポータブル通信／コンピューティングデバイスを含めうる。図１で図示されるように、モバイル局１０２は、メッセージコンテンツ１０８を受信できるおよび／またはそうでない場合には確立できるようにされうる。メッセージコンテンツ１０８は、例えば、１つまたは複数の電子メッセージの一部において、またはその一部として通信ネットワーク１０４に送信されうるコンテンツを備えうる。非限定の例として、メッセージコンテンツ１０８は、テキスト、イメージ、ビデオおよび／またはオーディオコンテンツを備える、または、そうでない場合にはそれらに関連することがある。
【００２５】
[0029]  通信ネットワーク１０４は、その中の１つまたは複数のリソースが、現在の関心トピックエンジン１１０として少なくとも一部分機能できるようにされうる複数のリソース（例えば、コンピュータ／通信デバイス等）を含めうる。現在の関心トピックエンジン１１０は、１つまたは複数の現在の関心トピック１１２を識別できるまたはそうでない場合には確立できるようにされうる。
【００２６】
[0030]  非限定の例として、現在の関心トピックエンジン１１０は、基地局（ＢＳ）１２２を通じて１つまたは複数のモバイル局から受信され、集められ、および／または、そうでない場合にはモバイル交換センタ（Mobile Switching Center）（ＭＳＣ）１２４によって利用可能にされるメッセージコンテンツ１０８に少なくとも部分的に基づいて少なくとも１つの現在の関心トピック１１２を識別しうる。
【００２７】
[0031]  非限定の例として、現在の関心トピックエンジン１１０は、サービスプロバイダとユーザとの間のあるセキュリティ／プライバシー合意に基づいてまたは依存して「アクセス可能」にされるメッセージコンテンツ１０８に少なくとも部分的に基づいて少なくとも１つの現在の関心トピック１１２を識別しうる。
【００２８】
[0032]  現在の関心トピックエンジン１１０は、例えば、現在の関心トピックにおける潜在的なトレンドを示す、または、そうでない場合にはある程度そのトレンドに関連する、共通の主題等を識別するためにメッセージコンテンツ１０８を処理しうる、エキスパートシステムおよび／または同様なものを含めうる。したがって、例えば、現在の関心トピックエンジン１１０は、テキスト情報、イメージ情報、ビデオ情報、オーディオ情報、メタデータ情報、ロケーション情報、ユーザプロフィール情報、時間情報および／または同様なもの、またはそれらのさまざまな組合せを考慮しうる。ある実装では、メッセージコンテンツはＳＭＳベースのメッセージコンテンツを含めうる。
【００２９】
[0033]  通信ネットワーク１０４は、例えば、マルチキャストネットワーク１０６に１つまたは複数の現在の関心トピックを提供しうる。ここで、例えば、図示されるように、マルチキャストネットワーク１０６は、無線通信リンクを通じておよび／またはネットワーク１１８を介して通信ネットワーク１０４に結合されうる。この例では別個のネットワークとして図示されているが、ある実装では、通信ネットワーク１０４およびマルチキャストネットワーク１０６は全体的にまたは部分的に組み合わせられうるということが念頭に入れられるべきである。
【００３０】
[0034]  マルチキャストネットワーク１０６は、例えば、１つまたは複数の現在の関心トピック１１２に応じうるコントローラ１１４を備えうる。コントローラ１１４は、１つまたは複数の現在の関心トピック１１２に少なくとも部分的に基づいて送信のためのコンテンツの少なくとも一部のプログラミングに影響を与えることがある。したがって、この例で示されるように、１つまたは複数のマルチキャスト送信機１１７は選択的に、複数の加入者ユニット１０３にコンテンツ１１６をブロードキャストできるようにされうる。ここでは、コントローラ１１４は、現在の関心トピックに応じてそのような送信に影響を与えることがある。例えば、コントローラ１１４は、コンテンツ１１６−１の送信を停止させるようにマルチキャスト送信機に直接または間接的に命じうる。例えば、コントローラ１１４は、コンテンツ１１６−２の送信を開始するようにマルチキャスト送信機に直接または間接的に命じうる。例えば、コントローラ１１４は、コンテンツ１１６−１およびコンテンツ１１６−２の組合せの送信を開始するようにマルチキャスト送信機に直接または間接的に命じうる。
【００３１】
[0035]  コンテンツ１１６は、マルチキャスト加入者ユニット１０３がある方法で（in some manner）受信および処理できるようにされうるいずれかの適用可能なコンテンツでありうる。マルチキャストネットワーク１０６内にあるとここでは図示されているが、コンテンツ１１６は、マルチキャストネットワーク１０６に動作的に結合される１つまたは複数のリソースに存在しうるということは明らかであるべきである。例えば、コンテンツ１１６のすべてまたは一部は、ネットワーク１１８に動作的に結合されるものとしてここで示されているコンテンツソース１２０（例えば、データベース、サーバ、別のネットワーク、インターネット等）に格納されうる、および／または、そうでない場合には、コンテンツソース１２０から入手可能でありうる。
【００３２】
[0036]   例えば、モバイル局１０２は、例えば無線広域ネットワーク（ＷＷＡＮ）、無線ローカルエリアネットワーク（ＷＬＡＮ）、無線パーソナルエリアネットワーク（ＷＰＡＮ）などのような様々な無線通信ネットワークを使用するためにイネーブルにされうる。用語「ネットワーク」と「システム」はここでは互換性をもって使用されうる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク等でありうる。ＣＤＭＡネットワークは、無線技術をいくつかあげてみると、ｃｄｍａ２０００、広帯域ＣＤＭＡ（Ｗ−ＣＤＭＡ(登録商標)）のような１つまたは複数の無線アクセス技術（radio access technology）（ＲＡＴ）を実装しうる。ここでは、ｃｄｍａ２０００は、ＩＳ−９５、ＩＳ−２０００、およびＩＳ−８５６規格にしたがって実装される技術を含めうる。ＴＤＭＡネットワークはモバイル通信のためのグローバルシステム（ＧＳＭ（登録商標））、デジタルアドバンスドモバイル電話システム（Digital Advanced Mobile Phone System）（Ｄ−ＡＭＰＳ）または、他のあるＲＡＴを実装しうる。ＧＳＭとＷ−ＣＤＭＡは、「第３世代パートナーシッププロジェクト」（３ＧＰＰ）と名づけられたコンソーシアムの文書において説明されている。ｃｄｍａ２０００は、「第３世代パートナーシッププロジェクト２(3rd Generation Partnership Project 2)」（３ＧＰＰ２）と名づけられたコンソーシアムの文書において説明されている。３ＧＰＰおよび３ＧＰＰ２の文書は公的に入手可能である。ＷＬＡＮは、ＩＥＥＥ８０２．１１ｘネットワークを含め、ＷＰＡＮは、ブルートゥース（登録商標）ネットワーク（Bluetooth（登録商標） network）、例えばＩＥＥＥ８０２．１５ｘを含めうる。無線通信ネットワークは、いわゆる次世代技術（例えば、４Ｇ）、例えば、ロングタームエボリューション（ＬＴＥ）、アドバンスドＬＴＥ、ＷｉＭＡＸ、ウルトラモバイルブロードバンド（ＵＭＢ）、および／または同様なものを含めうる。
【００３３】
[0037]  次に、実装による、無線通信システムにわたって送信されるメッセージコンテンツに少なくとも部分的に基づいて少なくとも１つの現在の関心トピックを決定しうるコンピューティングデバイス２００の形で電子デバイスのある特徴を示している概略ブロック図である図２を参照する。例えば、コンピューティングデバイス２００は、現在の関心トピックエンジン１１０（図１）に関するデータ処理のすべてまたは一部を提供できるようにされうる。
【００３４】
[0038]  図２の例示的な概略ブロック図で図示されるように、ある例示的な実装では、デバイス２００は、１つまたは複数の処理ユニット２０２、メモリ２０４、接続２０６、媒体２２０、および／またはネットワークインタフェース２３０を含めうる。
【００３５】
[0039]  図示されるように、メモリ２０４は、１つまたは複数のモバイル局１０２および／または場合によってはＢＳ１２２、ＭＳＣ１２４、および／または無線通信ネットワーク１０４（図１）内の他のリソースによって、生成されるおよび／またはそうでない場合には確立されるような、例えばテキスト情報、イメージ情報、ビデオ情報、オーディオ情報、時間情報、メタデータ情報、ロケーション情報、ユーザプロフィール情報、および／またはそれらのいずれの組み合わせまたは同様なもののようなメッセージコンテンツを格納しうる。
【００３６】
[0040]  テキスト情報２４２は、例えば、キーパッドおよび／または他の同様なユーザ入力メカニズムを介してモバイル局を使用してマニュアルで入力されうる、または、マイクロフォンからのオーディオ情報に基づいて音声認識処理を介して入力されうる。イメージ情報および／またはビデオ情報は、例えば、モバイル局のカメラによって生成されうる。オーディオ情報は、例えば、モバイル局のマイクロフォンによって生成されうる。時間情報は例えば、モバイル局１０２および／または場合によってはＢＳ１２２、ＭＳＣ１２４、および／または無線通信ネットワーク内の他のリソースによって確立されうる、また、メッセージコンテンツのすべてまたは一部とある程度関連しうる。例えば、時間情報は、タイムスタンプ、または、メッセージ送信／受信時間、イメージ／ビデオ／オーディオのキャプチャ時間（capture time）等を示す他の同様な情報を備えうる。
【００３７】
[0041]  メタデータ情報は例えば、モバイル局１０２および／または場合によってはＢＳ１２２、ＭＳＣ１２４、および／または無線通信ネットワーク内の他のリソースによって確立されうる、また、メッセージコンテンツ１０８のすべてまたは一部とある程度関連しうる。例えば、メタデータ情報は、モバイル局またはその部分に関するさらなる情報を備えうる。例えば、メタデータ情報は、キャプチャされたイメージ／ビデオ／オーディオ情報に関するさらなる情報（例えば、地理的ロケーションおよび／または他の同様なジオタギング情報（geo-tagging information））を備えうる。
【００３８】
[0042]  ロケーション情報は、例えば、外部支援を用いてまたは用いずに、モバイル局によって確立されうる。ロケーション情報は、例えば、測定されたまたは推定された相対的なロケーション、地理座標、無線ネットワークセルまたは領域等を含めうる、および/またはそうでない場合には、識別しうる。
【００３９】
[0043]  ユーザプロフィール情報は、例えば、モバイル局１０２、および／または場合によってはＢＳ１２２、ＭＳＣ１２４および／または無線通信ネットワーク内の他のリソースによって提供されうる。ユーザプロフィール情報は、例えば、現在の関心トピックエンジン１１０（図１）によってここに説明された他の情報とともに検討されうるあるユーザ関連の情報を含めうる、および／または、そうでない場合には識別しうる。例えば、ユーザプロフィール情報２５６は、さまざまなユーザ優先度（user preferences）、加入、グループ、メンバーシップ、関心のあるもの／関心のないもの、視聴者層情報(demographic information)、モバイル局デバイス情報等を識別しうる。
【００４０】
[0044]  メモリ２０４は、さまざまな他のデータおよびコンピュータ実装可能命令２７０を格納することがある。このような命令は、例えば、１つまたは複数の処理ユニットまたはプロセッサ２０２によって実行されうる。
【００４１】
[0045]  図２で図示されるように、コンピュータ可読媒体２２０によってここであらわされる製品(article of manufacture)は、例えば、処理ユニット（複数含む）２０２によって提供されアクセスされうる。そのため、ある例示的な実装では、方法および／または装置は、少なくとも１つの処理ユニットまたは他の同様な回路によって実行される場合には、処理ユニット（複数を含む）２０２および／または他の同様な回路がここでの例に示されるような技法／プロセスのすべてまたは一部を実行できるようにする、格納されたコンピュータ実装可能命令２７０を含むコンピュータ可読媒体２２０の全体または一部の形をとることがある。コンピュータ可読媒体２２０は、任意のデータストレージメカニズムの典型でありうる。
【００４２】
[0046]  処理ユニット（複数を含む）２０２は、ハードウェア、またはハードウェアとソフトウェアの組み合わせで実装されうる。処理ユニット（複数を含む）は、データコンピューティングプロシージャまたはプロセスのうちの少なくとも一部分を実行するように構成されることができる１つまたは複数の回路の典型でありうる。限定ではなく例として、処理ユニット（複数含む）は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイ、および同様なもの、または、それらのいずれの組み合わせ、を含めうる。
【００４３】
[0047]  メモリ２０４は、任意のデータストレージメカニズムの典型でありうる。メモリ２０４は、例えば、プライマリメモリおよび／またはセカンダリメモリを含めうる。プライマリメモリは、例えばランダムアクセスメモリ、読み出し専用メモリ等を含めうる。処理ユニット（複数を含む）２０２とは別個であるとしてこの例では図示されているが、プライマリメモリの少なくとも一部分が処理ユニット（複数を含む）内で提供される、または、そうでない場合には、処理ユニットと同一場所に配置される／結合されることがあるということが理解されるべきである。セカンダリメモリは、例えば、ディスクドライブ、光学ディスクドライブ、テープドライブ、ソリッドステートメモリドライブ等のような、例えばプライマリメモリおよび／または１つまたは複数のデータストレージデバイスまたはシステムと同じまたは同様なタイプのメモリを含めうる。ある実装では、セカンダリメモリは、コンピュータ可読媒体を動作的に受け入れる、または、そうでない場合には、コンピュータ可読媒体に結合するように構成可能でありうる。
【００４４】
[0048]  図２でさらに図示されるように、デバイス２００は、一緒にさまざまな回路を動作的に結合するために１つまたは複数の接続２０６（例えば、バス、ライン、コンダクタ、ファイバ等）を含めうる。
【００４５】
[0049]  ネットワークインタフェース２３０は、１つまたは複数の有線／ファイバおよび／または無線の通信リンクを介して、１つまたは複数のネットワークおよび／または１つまたは複数の他のデバイスにデバイス２００を動作的に結合するための適用可能な回路および／または他の同様な機能を含めうる。
【００４６】
[0050]  次に、実装による、無線通信システムにわたって送信される１つまたは複数の電子メッセージからのメッセージコンテンツに少なくとも部分的に基づいて少なくとも１つの現在の関心トピックを決定するために、１つまたは複数の電子デバイスにおいて実装されうる例示的なプロセス３００を図示するフロー図である図３を参照する。プロセス３００は、例えば、コンピューティングデバイス２００（図２）において少なくとも部分的に実装されうる。
【００４７】
[0051]  ブロック３０２では、メッセージコンテンツは、少なくとも１つの無線通信ネットワークにわたって送信された１つまたは複数の電子メッセージから取得されうる。非限定の例として、メッセージコンテンツは、ＭＳＣおよび／または同様なものを通して処理されたＳＭＳメッセージから取得されうる。例えば、ＭＳＣは、このようなメッセージが無線通信ネットワークを使用して通信されるように、メッセージコンテンツをコピーする、または、そうでない場合にはキャプチャする。ここでは、例えば、このようなメッセージコンテンツは、さらなる処理（例えば、データマイニング）のためにすぐに提供されうる、および／または、ある期間の間格納され、他のメッセージコンテンツとともに（例えば、バッチモードで）さらなる処理のために提供される。
【００４８】
[0052]  ブロック３０４で、少なくとも１つの現在の関心トピックは、ブロック３０２で取得されたメッセージコンテンツに少なくとも部分的に基づいて決定されうる。ブロック３０４で、データマイニングおよび／または他の同様な処理は、現在の関心トピックを識別するために、例えば、利用可能なメッセージコンテンツのタイプ（複数を含む）に依存して、実行されうる。ある例示的な実装では、エキスパートシステムおよび／または他の同様なインテリジェントエージェントは、メッセージコンテンツを調べ、潜在的な現在の関心トピックに関連しうるある共通のまたは一致したトレンド（common or concurrent trends）またはテーマを識別するために、使用されるおよび／またはトレーニングされる。ある実装では、ブロック３０４で、あるタイプのメッセージコンテンツを変換するまたはそうでない場合には処理するために、いくつかのさらなる処理が利用されうる。ここでは、例えば、セマンティックまたは他の同様な言語プロセスは、オリジナルテキストをある方法で変換するまたはそうでない場合には修正する、および／または、このようなオリジナルおよび／またはさらに処理されたテキストから、主題または他の同様な情報を導出する、ために実行されうる。ある例では、イメージ認識または他の同様なビジュアルプロセスは、イメージおよび／またはビデオコンテンツをある方法で変換するまたはそうでない場合には修正する、および／または、このようなオリジナルおよび／またはさらに処理されたイメージおよび／またはビデオコンテンツから主題または他の同様な情報を導出する、ために実行されうる。同様に、ある例では、音声認識または他の同様なプロセスが、オーディオコンテンツをある方法で変換するまたはそうでない場合には修正する、および／または、このようなオリジナルおよび／またはさらに処理されたオーディオコンテンツから主題または他の同様な情報を導出する、ために実行されうる。
【００４９】
[0053]  ある実装では、ブロック３０４で、現在の関心トピックは、最新のしきい値期間の間に無線通信ネットワークにわたって送信されたメッセージコンテンツに少なくとも部分的に基づいている。非限定の例として、例えば最後の分、時間、日（the last minute, hour, day）等のような相対的に短いしきい値時間に関する現在の関心トピックに対し、ブロック３０４の決定プロセスをフォーカスすることが有用であることがある。ある実装では、しきい値期間は「リアルタイム」期間を定義しうる。ある例では、午後５時〜午後８時の間、特定の曜日／日にち、休日等のような特定の期間に関する現在の関心トピックに対して、ブロック３０４の決定プロセスをフォーカスすることが有用であることがある。
【００５０】
[0054]  ある例示的な実装では、適用可能なロケーション情報が与えられると、都市、教区、キャンパス、州等のような特定のロケーションまたは領域に関する現在の関心トピックにブロック３０４の決定プロセスをフォーカスすることが有用であることがある。
【００５１】
[0055]  ブロック３０６で、１つまたは複数の現在の関心トピックは、例えば、マルチキャストネットワークに（必要に応じて）提供されうる。ある例示的な実装では、ブロック３０６で、１つまたは複数の現在の関心トピックは、１つまたは複数のマルチキャストネットワークにおいて１つまたは複数のコントローラへ有線／ファイバおよび／または無線通信ネットワークにわたって送信されうる。
【００５２】
[0056]  次に、実装による、少なくとも１つの現在の関心トピックに部分的に基づいてマルチキャストネットワークにわたる送信のためのコンテンツの少なくとも一部分のプログラミングに影響を与えうるコンピューティングデバイス４００の形で電子デバイスのある特徴を示す概略ブロック図である図４を参照する。例えば、コンピューティングデバイス４００は、コントローラ１１４（図１）に関連するデータ処理のすべてまたは一部を提供できるようにされうる。
【００５３】
[0057]  図４の例示的な概略ブロック図で図示されるように、ある例示的な実装では、デバイス４００は、１つまたは複数の処理ユニット２０２、メモリ２０４、接続２０６、媒体２２０、および／またはネットワークインタフェース２３０を含めうる。メモリ２０４は、１つまたは複数の現在の関心トピック１１２、場合によってはブロードキャストされるべきコンテンツの少なくとも一部分（ここではコンテンツ１１６−１および１１６−２と図示されている）を格納しうる。メモリ２０４は、さまざまな他のデータおよびコンピュータ実装可能命令４７０を格納しうる。このような命令は、プロセス５００（図５）のすべてまたは一部を実行するために、例えば、１つまたは複数の処理ユニットまたはプロセッサ２０２によって実行されうる。
【００５４】
[0058]  図４で図示されるように、コンピュータ可読媒体２２０によってここで表わされる製品は、例えば、処理ユニット（複数含む）によって提供されアクセスされうる。そのため、ある例示的な実装では、方法および／または装置は、少なくとも１つの処理ユニットまたは他の同様な回路によって実行される場合には、処理ユニット（複数を含む）２０２および／または他の同様な回路が、ここでの例に示されるような技法／プロセスのすべてまたは一部を実行できるようにする、格納されたコンピュータ実装可能命令２７０を含むコンピュータ可読媒体２２０の全体または一部の形をとることがある。コンピュータ可読媒体２２０は、任意のデータストレージメカニズムの典型でありうる。
【００５５】
[0059]  次に、実装による、少なくとも１つの現在の関心トピックに少なくとも部分的に基づいてマルチキャストネットワークにわたる送信のためのコンテンツの少なくとも一部分のプログラミングに影響を与えるために、１つまたは複数の電子デバイスにおいて実装されうる例示的なプロセス５００を図示するフロー図である図５を参照する。プロセス５００は、例えば、コンピューティングデバイス４００（図４）において少なくとも部分的に実装されうる。ある実装では、プロセス３００（図３）およびプロセス５００のすべてまたは一部は、共通のコンピューティングデバイス２００（図２）または４００（図４）で実装されうるということも理解されうる。
【００５６】
[0060]  ブロック５０２では、少なくとも１つの現在の関心トピックが取得されうる。ここでは、例えば、現在の関心トピックは、通信リンクにわたって受信されうる、またはそうでない場合には、提供されうる。例えば、ブロック３０６（図３）を参照されたい。
【００５７】
[0061]  ブロック５０４で、マルチキャストネットワークにわたる送信のためのコンテンツの少なくとも一部分のプログラミングは、少なくとも１つの現在の関心トピックに少なくとも部分的に基づいてある程度影響を与えられうる。ここでは、例えば、ブロードキャストされているコンテンツは、１つまたは複数の現在の関心トピックに応じてある程度割りこまれ（interrupted）、置き換えられ、および／またはそうでない場合は修正されうる。
【００５８】
[0062]  さらなる例として、ブロック５０４で、現在の関心トピックは、あるタイプのイベントが１つまたは複数の無線通信システムにわたって送信された最新電子メッセージの主題であったということを示しうる。したがって、マルチキャストネットワークにわたる送信のためのコンテンツの少なくとも一部分のプログラミングは、このようなイベントに適切な何らかの方法で影響を与えられうる。したがって、例えば、イベントにある程度関連するコンテンツが加えられまたは変更されうる。１つの潜在的な利点は、ブロードキャストコンテンツにおけるこのような変更は、イベントが生じるとき、および／または、イベントについての情報が関心のある人たちに広めることを開始するときに、「リアルタイム」で生じるということである。
【００５９】
[0063]  本明細書の全体の「一例(one example)」、「例(an example)」、「ある例(certain examples)」または「例示的な実装(exemplary implementation)」という言及は、特徴および／または例に関連して説明される特定の特徴、構造、または特性は特許請求される主題の少なくとも１つの特徴および/または例に含まれうるということを意味する。したがって、フレーズ「一例(in one example)」、「例(an example)」、「ある例では(in certain examples)」または「ある実装では(in certain implementations)」、または、本明細書にわたる様々な箇所における他の同様なフレーズ、の出現は、必ずしもすべて同じ特徴、例、および/または限定を指していない。さらに、具体的な特徴、構造、あるいは特徴は、１つまたは複数の例および／または特徴で組み合わせられうる。
【００６０】
[0064]  ここで説明された方法は、具体的な特徴および／または例によるアプリケーションに依存して様々な手段によって実装されうる。例えば、そのような方法は、ソフトウェアに加えて、ハードウェア、ファームウェア、および／または、それらの組み合わせ、において実装されうる。ハードウェア実装では、例えば、処理ユニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、ここにおいて説明された機能を実行するように設計された他のデバイス、および／または、それらの組み合わせ、内で実装されることができる。
【００６１】
[0065]  先の詳細な説明では、多くの具体的な詳細が特許請求された主題の完全な理解を提供するために記載されている。しかしながら、特許請求された主題はこれらの具体的な詳細なしに実践されうるということは当業者に理解されるであろう。他の例では、当業者に周知であろう方法および装置は、特許請求された主題を不明瞭にしないように詳細に説明されていない。
【００６２】
[0066]  先述の詳細な説明のある部分は、特定の装置または専用コンピューティングデバイスまたはプラットフォームのメモリ内で格納されたバイナリデジタル電子信号に対する動作のアルゴリズムまたはシンボリック表示の観点から提示されている。この具体的な明細書の文脈で、特定の装置という用語または同様なものは、プログラムソフトウェアからの命令に従う特定の機能を実行するようにプログラミングされると、汎用コンピュータを含む。アルゴリズム記述またはシンボリック表示は、それらの作業(work)の内容（substance of their work）を他の当業者に伝達するために信号処理または関連技術における当業者によって使用される技術の例である。ここでのアルゴリズム、および一般的には、動作の首尾一貫したシーケンス、または、望ましい結果をもたらす同様な信号処理であると考えられている。この文脈では、動作または処理は、物理量の物理的な操作を含む。一般的に、必然ではないが、このような量は、格納され、移送され、結合され、比較されることができ、またはそうでない場合には、情報を表わす電子信号として操作されることができる電子信号または磁気信号の形をとることがある。主に共通使用という理由から、ビット、データ、値、エレメント、シンボル、文字、用語、数字、番号、情報または同様なもののような信号を参照することは時折便利であることが実証されている。しかしながら、これらまたは同様な用語のすべては、適切な物理的な数と関連づけられており、便利なラベルにすぎない、ということは理解されるべきである。明示的に述べられていない限り、次の説明から明らかであるように、本明細書の記載全体にわたって、用語「処理すること(processing)」、「コンピュートすること(computing)」、「計算すること(calculating)」、「決定すること(determining)」、「確立すること(establishing)」、「取得すること(obtaining)」、「識別すること(identifying)」および/または同様なもののような用語を使用することは、専用コンピュータまたは同様な専用電子コンピューティングデバイスのような特定装置の動作またはプロセスを指すと理解される。したがって、本明細書の文脈では、専用コンピュータまたは同様な専用電子コンピューティングデバイスは、メモリ、レジスタ、または、他の情報ストレージデバイス、送信デバイス、または専用コンピュータまたは同様な専用電子コンピューティングデバイスのディスプレイデバイス、の内の物理電子量または磁気量として典型的に表される信号を操作または変換することが可能である。本特許出願の文脈では、「特定の装置」という用語は、プログラムソフトウェアからの命令に従う特定の機能を実行するようにプログラミングされると、汎用コンピュータを含めうる。
【００６３】
[0067]  ここで使用される、用語、「および(and)」、「または(or)」、そして「および／または(and/or)」は、このような用語が使用される文脈に少なくとも部分的に基づいて決まることも予期される様々な意味を含めうる。一般的に、リストを関連づけるために使用される場合の「または(or)」、例えばＡ、ＢまたはＣは、包括的な意味でここで使用されるとＡ、Ｂ、およびＣを意味し、排他的な意味でここで使用されるとＡ、Ｂ、またはＣを意味することが意図されている。さらに、ここで使用される「１つまたは複数(one or more)」という用語は、単数でいずれかの特徴、構造または特性を説明するために使用されうる、あるいは、複数の特徴、構造、または特性、または、それらの他の何らかの組み合わせを説明するために使用されうる。しかしながら、これは単なる説明のための例にすぎないということ、そして特許請求された主題の事柄はこの例に限定されないということ、に留意されるべきである。
【００６４】
[0068]  現在例示的な特徴と考えられているものが図示され説明されているが、特許請求された主題から逸脱することなく、さまざまな他の変更がなされ、同等物が置き換えられうるということは当業者によって理解されるであろう。さらに、ここに説明される主要な概念から逸脱することなく特許請求された主題の教示に特定のシチュエーションを適応させるために多くの修正が行なわれる。
【００６５】
[0069]  したがって、特許請求された主題は、開示された特定の例に限定されていないが、このような特許請求された主題はまた、特許請求の範囲内にあるすべての態様、およびその同等物を含めうるということが意図されている。
なお、本願の出願当初の請求項と同一の記載を以下に付記する。
［Ｃ１］ 無線通信ネットワークにわたって送信されるメッセージコンテンツと関連づけられた少なくとも１つの現在の関心トピックを表わす１つまたは複数の電子信号を取得することと、
前記少なくとも１つの現在の関心トピックに少なくとも部分的に基づいてマルチキャストネットワークにわたる送信のためのコンテンツの少なくとも一部分のプログラミングに影響を与えることと、
を備える方法。
［Ｃ２］ 前記少なくとも１つの現在の関心トピックは、最新のしきい値期間の間に前記無線通信ネットワークにわたって送信されるメッセージコンテンツに少なくとも部分的に基づいている、Ｃ１に記載の方法。
［Ｃ３］ 前記無線通信ネットワークから前記少なくとも１つの現在の関心トピックを表わす前記１つまたは複数の電子信号を取得すること、をさらに備えるＣ１に記載の方法。
［Ｃ４］ 前記無線通信ネットワークにわたって送信される前記メッセージコンテンツを取得することと、
前記メッセージコンテンツに少なくとも部分的に基づいて前記少なくとも１つの現在の関心トピックを決定することと、
をさらに備えるＣ１に記載の方法。
［Ｃ５］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ１に記載の方法。
［Ｃ６］ 前記メッセージコンテンツは、ＳＭＳメッセージコンテンツを備える、Ｃ１に記載の方法。
［Ｃ７］ 前記マルチキャストネットワークは、無線マルチキャストネットワークを備える、Ｃ１に記載の方法。
［Ｃ８］ 無線通信ネットワークにわたって送信されるメッセージコンテンツを表わす１つまたは複数の電子信号を取得することと、
前記メッセージコンテンツに少なくとも部分的に基づいて少なくとも１つの現在の関心トピックを決定することと、
前記少なくとも１つの現在の関心トピックを表わす１つまたは複数の電子信号をマルチキャストネットワークに送信することと、
を備える方法。
［Ｃ９］ 前記少なくとも１つの現在の関心トピックは、最新のしきい値期間の間に前記無線通信ネットワークにわたって送信されるメッセージコンテンツに少なくとも部分的に基づいている、Ｃ８に記載の方法。
［Ｃ１０］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ８に記載の方法。
［Ｃ１１］ 前記メッセージコンテンツは、ＳＭＳメッセージコンテンツを備える、Ｃ８に記載の方法。
［Ｃ１２］ 前記マルチキャストネットワークは、無線マルチキャストネットワークを備える、Ｃ８に記載の方法。
［Ｃ１３］ マルチキャストネットワークにおいてコンテンツを送信するための手段と、
無線通信ネットワークにわたって送信されるメッセージコンテンツと関連づけられた少なくとも１つの現在の関心トピックを取得するための手段と、
前記少なくとも１つの現在の関心トピックに少なくとも部分的に基づいて前記マルチキャストネットワークにわたる送信のためのコンテンツの少なくとも一部分のプログラミングに影響を与えるための手段と、
を備える装置。
［Ｃ１４］ 前記少なくとも１つの現在の関心トピックは、最新のしきい値期間の間に前記無線通信ネットワークにわたって送信されるメッセージコンテンツに少なくとも部分的に基づいている、Ｃ１３に記載の装置。
［Ｃ１５］ 前記無線通信ネットワークから前記少なくとも１つの現在の関心トピックを受信するための手段、
をさらに備えるＣ１３に記載の装置。
［Ｃ１６］ 前記無線通信ネットワークにわたって送信される前記メッセージコンテンツを取得するための手段と、
前記メッセージコンテンツに少なくとも部分的に基づいて前記少なくとも１つの現在の関心トピックを決定するための手段と、
をさらに備えるＣ１３に記載の装置。
［Ｃ１７］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ１３に記載の装置。
［Ｃ１８］ 前記メッセージコンテンツは、ＳＭＳメッセージコンテンツを備える、Ｃ１３に記載の装置。
［Ｃ１９］ 前記マルチキャストネットワークは、無線マルチキャストネットワークを備える、Ｃ１３に記載の装置。
［Ｃ２０］ 無線通信ネットワークにわたって送信されるメッセージコンテンツを取得するための手段と、
前記メッセージコンテンツに少なくとも部分的に基づいて少なくとも１つの現在の関心トピックを決定するための手段と、
前記少なくとも１つの現在の関心トピックをマルチキャストネットワークに送信するための手段と、
を備える装置。
［Ｃ２１］ 前記少なくとも１つの現在の関心トピックは、最新のしきい値期間の間に前記無線通信ネットワークにわたって送信されるメッセージコンテンツに少なくとも部分的に基づいている、Ｃ２０に記載の装置。
［Ｃ２２］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ２０に記載の装置。
［Ｃ２３］ 前記メッセージコンテンツは、ＳＭＳメッセージコンテンツを備える、Ｃ２０に記載の装置。
［Ｃ２４］ 前記マルチキャストネットワークは、無線マルチキャストネットワークを備える、Ｃ２０に記載の装置。
［Ｃ２５］ 装置であって、
メモリと、
複数のマルチキャストネットワーク加入者ユニットへコンテンツを送信するための少なくとも１つの送信機と、
無線通信ネットワークにわたって送信されるメッセージコンテンツと関連づけられた少なくとも１つの現在の関心トピックを取得し、前記少なくとも１つの現在の関心トピックに少なくとも部分的に基づいて前記複数のマルチキャストネットワーク加入者ユニットへの送信のための前記コンテンツの少なくとも一部分のプログラミングに影響を与えるための、前記メモリと前記少なくとも１つの送信機とに結合された少なくとも１つの処理ユニットと、
を備える装置。
［Ｃ２６］ 前記少なくとも１つの現在の関心トピックは、最新のしきい値期間の間に前記無線通信ネットワークにわたって送信されるメッセージコンテンツに少なくとも部分的に基づいている、Ｃ２５に記載の装置。
［Ｃ２７］ 前記無線通信ネットワークから前記少なくとも１つの現在の関心トピックを受信するための、前記メモリおよび／または前記少なくとも１つの処理ユニットのうちの少なくとも１つに結合された少なくとも１つのネットワークインタフェース、をさらに備えるＣ２５に記載の装置。
［Ｃ２８］ 前記無線通信ネットワークにわたって送信された前記メッセージコンテンツを受信するための、前記メモリおよび／または前記少なくとも１つの処理ユニットのうちの少なくとも１つに結合された少なくとも１つのネットワークインタフェースと、
前記メッセージコンテンツに少なくとも部分的に基づいて前記少なくとも１つの現在の関心トピックを決定するための、前記少なくとも１つの処理ユニットと、
をさらに備えるＣ２５に記載の装置。
［Ｃ２９］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ２５に記載の装置。
［Ｃ３０］ 前記メッセージコンテンツは、ＳＭＳメッセージコンテンツを備える、Ｃ２５に記載の装置。
［Ｃ３１］ 前記少なくとも１つの送信機は、無線送信機を備える、Ｃ２５に記載の装置。
［Ｃ３２］ 装置であって、
無線通信ネットワークにわたって送信されるメッセージコンテンツを格納するためのメモリと；
ネットワークインタフェースと；
前記メッセージコンテンツに少なくとも部分的に基づいて少なくとも１つの現在の関心トピックを決定し、
前記ネットワークインタフェースを介してマルチキャストネットワークへの前記少なくとも１つの現在の関心トピックの送信を開始するための、
前記メモリと前記ネットワークインタフェースに結合された少なくとも１つの処理ユニットと；
を備える装置。
［Ｃ３３］ 前記少なくとも１つの現在の関心トピックは、最新のしきい値期間の間に前記無線通信ネットワークにわたって送信されるメッセージコンテンツに少なくとも部分的に基づいている、Ｃ３２に記載の装置。
［Ｃ３４］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ３２に記載の装置。
［Ｃ３５］ 前記メッセージコンテンツは、ＳＭＳメッセージコンテンツを備える、Ｃ３２に記載の装置。
［Ｃ３６］ 前記マルチキャストネットワークは、無線マルチキャストネットワークを備える、Ｃ３２に記載の装置。
［Ｃ３７］ 製品であって、
無線通信ネットワークにわたって送信されるメッセージコンテンツと関連づけられた少なくとも１つの現在の関心トピックを表わす１つまたは複数の電子信号を取得することと、
前記少なくとも１つの現在の関心トピックに少なくとも部分的に基づいてマルチキャストネットワークにわたる送信のためのコンテンツの少なくとも一部分のプログラミングに影響を与えることと、
が電子デバイスにおいて１つまたは複数の処理ユニットによって実行可能であるコンピュータ実装可能命令を格納しているコンピュータ可読媒体、
を備える製品。
［Ｃ３８］ 前記少なくとも１つの現在の関心トピックは、最新のしきい値期間の間に前記無線通信ネットワークにわたって送信されるメッセージコンテンツに少なくとも部分的に基づいている、Ｃ３７に記載の製品。
［Ｃ３９］ 前記コンピュータ実装可能命令は、
前記無線通信ネットワークから前記少なくとも１つの現在の関心トピックを取得すること
が前記１つまたは複数の処理ユニットによってさらに実行可能である、Ｃ３７に記載の製品。
［Ｃ４０］ 前記コンピュータ実装可能命令は、
前記無線通信ネットワークにわたって送信される前記メッセージコンテンツを取得することと、
前記メッセージコンテンツに少なくとも部分的に基づいて前記少なくとも１つの現在の関心トピックを決定することと、
が前記１つまたは複数の処理ユニットによってさらに実行可能である、Ｃ３７に記載の製品。
［Ｃ４１］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ３７に記載の製品。
［Ｃ４２］ 前記メッセージコンテンツは、ＳＭＳメッセージコンテンツを備える、Ｃ３７に記載の製品。
［Ｃ４３］ 前記マルチキャストネットワークは、無線マルチキャストネットワークを備える、Ｃ３７に記載の製品。
［Ｃ４４］ 製品であって、
通信ネットワークにわたって送信されるメッセージコンテンツを取得することと、
前記メッセージコンテンツに少なくとも部分的に基づいて少なくとも１つの現在の関心トピックを決定することと、
前記少なくとも１つの現在の関心トピックのマルチキャストネットワークへの送信を開始することと、
が電子デバイスにおいて１つまたは複数の処理ユニットによって実行可能であるコンピュータ実装可能命令を格納しているコンピュータ可読媒体、
を備える製品。
［Ｃ４５］ 前記少なくとも１つの現在の関心トピックは、最新のしきい値期間の間に前記無線通信ネットワークにわたって送信されるメッセージコンテンツに少なくとも部分的に基づいている、Ｃ４４に記載の製品。
［Ｃ４６］ 前記メッセージコンテンツは、テキスト情報、イメージ情報、ビデオ情報、オーディオ情報、メタデータ情報、ロケーション情報、プロフィール情報、および／または時間情報のうちの少なくとも１つを表わす１つまたは複数の電子信号を備える、Ｃ４４に記載の製品。
［Ｃ４７］ 前記メッセージコンテンツは、ＳＭＳメッセージコンテンツを備える、Ｃ４４に記載の製品。
［Ｃ４８］ 前記マルチキャストネットワークは、無線マルチキャストネットワークを備える、Ｃ４４に記載の製品。
【図１】
0005922136.tif 000002
【図２】
0005922136.tif 000003
【図３】
0005922136.tif 000004
【図４】
0005922136.tif 000005
【図５】
0005922136.tif 000006